(57)【要約】【課題】  複数の信号記録層が設けられている光ディスクに記録されている信号の読み出し動作を行う光ピックアップ装置において生じる迷光による問題を解決する。【解決手段】  レーザー光が入射されるとともにメインビーム及びサブビームを生成させる回折格子２と、信号記録層から反射される戻り光であるサブビームが照射されるとともにトラッキングエラー信号を生成する第１及び第２のサブビーム用受光部と戻り光であるメインビームが照射されるとともに再生信号及びフォーカスエラー信号を生成するメインビーム用受光部とより成る光検出器１０と、前記回折格子２を透過したレーザー光を対物レンズ８方向へ導くとともに信号記録層から反射される戻り光を光検出器方向１０へ導く偏光ビームスプリッタを備え、前記光検出器１０に入射される戻り光の強度分布が平坦になるようにしたことを特徴とする。【選択図】  図１
2013109811.tif 000002
【特許請求の範囲】
【請求項１】
光ディスクに記録されている信号を読み出すために信号記録層にレーザー光を集光させる対物レンズと、レーザー光が入射されるとともに０次光であるメインビーム、＋１次光及び−１次光であるサブビームを生成させる回折格子と、信号記録層から反射される戻り光であるサブビームが照射されるとともにトラッキングエラー信号を生成する第１及び第２のサブビーム用受光部と信号記録層から反射される戻り光であるメインビームが照射されるとともに再生信号及びフォーカスエラー信号を生成するメインビーム用受光部とより成る光検出器と、前記回折格子を透過したレーザー光を対物レンズ方向へ導くとともに信号記録層から反射される戻り光を光検出器方向へ導く偏光ビームスプリッタを備えた光ピックアップ装置であり、前記光検出器に入射される戻り光の強度分布が平坦になるようにしたことを特徴とする光ピックアップ装置。
【請求項２】
強度分布を平坦にする強度平坦化素子をレーザーダイオードと偏光ビームスプリッタとの間に配置したことを特徴とする請求項１に記載の光ピックアップ装置。
【請求項３】
強度分布を平坦にする強度平坦化素子を偏光ビームスプリッタと光検出器との間に配置したことを特徴とする請求項１に記載の光ピックアップ装置。
【請求項４】
平行平板硝子の表面に透過率を調整する透過膜を塗布することによって強度平坦化素子を構成したことを特徴とする請求項２または請求項３に記載の光ピックアップ装置。
【請求項５】
透過率の異なる透過膜を楕円状に塗布したことを特徴とする請求項４に記載の光ピックアップ装置。
【請求項６】
強度平坦化素子を回折格子が形成された回折素子にて構成したことを特徴とする請求項２または請求項３に記載の光ピックアップ装置。
【発明の詳細な説明】
【技術分野】
【０００１】
本発明は、光ディスクに記録されている信号の読み出し動作をレーザー光によって行う光ピックアップ装置に関する。
【背景技術】
【０００２】
光ピックアップ装置から照射されるレーザー光を光ディスクの信号記録層に照射することによって信号の読み出し動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
また、レーザー光によって信号記録層に記録されている信号を読み出すためには、レーザー光を信号記録層に集光させるフォーカシング制御動作及び信号記録層に渦巻き状に設けられている信号トラックにレーザー光を追従させるトラッキング制御動作を正確に行う必要がある。
【０００５】
斯かるフォーカシング制御動作を行う方法としては、種々あるが非点収差の発生を利用した非点収差法が一般的に行われている。また、トラッキング制御方法としても種々あるが、メインビームと２つのサブビームを使用する３ビーム法が一般的に行われている。
【０００６】
更に、最近では正確なフォーカシング制御動作を行うためにメインビームだけでなくサブビームも使用する差動非点収差法が採用されている。斯かるフォーカシング制御動作に利用される非点収差法、差動非点収差法及びトラッキング制御動作に利用される３ビーム法は、２つのサブビームが各々照射される２つのサブビーム用受光部とメインビームが照射されるメインビーム用受光部が組み込まれている光検出器を設け、この光検出器から得られる信号によりフォーカスエラー信号やトラッキングエラー信号を生成させることによって各制御動作を行うように構成されている。
【０００７】
また、最近では、信号記録層が１層ではなく複数、例えば４つの層が設けられている４層式の光ディスクが製品化されており、斯かる複数の信号記録層が設けられている光ディスクの各信号記録層に記録されている信号の読み出し動作を行うことが出来る光ピックアップ装置も製品化されている。
【０００８】
図９はＢｌｕ−ｒａｙ規格にて規定されている４層式の光ディスクＤの信号記録層Ｌ０、Ｌ１、Ｌ２及びＬ３に記録されている信号を読み出すように構成された光ピックアップ装置の光学構成図であり、同図を参照にして光ピックアップ装置について説明する。
【０００９】
図９において、１は例えば波長が４０５ｎｍの青紫色光であるレーザー光を放射するレーザーダイオード、２は前記レーザーダイオード１から放射されるレーザー光が入射される回折格子であり、レーザー光を０次光であるメインビーム、＋１次光及び−１次光である２つのサブビームに分離する回折格子部２ａと入射されるレーザー光をＰ方向の直線偏光光に変換する１／２波長板２ｂとより構成されている。
【００１０】
３は前記回折格子２を透過したレーザー光が入射されるハーフミラーであり、Ｐ偏光光に変換されたレーザー光を反射し、Ｓ方向に偏光されたレーザー光を透過させるように構成されている。４は前記ハーフミラー３にて反射されたレーザー光が入射されるとともに
入射されるレーザー光を平行光に変換するコリメートレンズであり、収差補正用モーター５によって光軸方向へ変位せしめられるように構成されている。前記コリメートレンズ４の光軸方向への変位動作によって光ディスクＤの信号記録層Ｌ０、Ｌ１、Ｌ２、Ｌ３とディスク面との間に設けられている保護層の厚さの相違に基づいて生じる球面収差を補正することが出来るように構成されている。
【００１１】
６は前記コリメートレンズ４を透過したレーザー光が入射される位置に設けられている立ち上げミラーであり、入射されるレーザー光の出射方向を９０度変更する作用を成すものである。７は前記立ち上げミラー６にて反射されたレーザー光が入射される位置に設けられている１／４波長板であり、直線偏光光から円偏光光へ、また反対に円偏光光から直線偏光光に変換する作用を成すものである。８は前記１／４波長板７を透過したレーザー光が入射される対物レンズであり、入射されたレーザー光を光ディスクＤに設けられている信号記録層Ｌ０、Ｌ１、Ｌ２、Ｌ３に集光する作用を成すものである。
【００１２】
斯かる構成において、前記レーザーダイオード１から放射されたレーザー光は、回折格子２、ハーフミラー３、コリメートレンズ４、立ち上げミラー６及び１／４波長板７を介して対物レンズ８に入射された後、該対物レンズ８の集光動作によって光ディスクＤの信号記録層Ｌ０、Ｌ１、Ｌ２、Ｌ３にレーザースポットとして照射されるが、該信号記録層Ｌ０、Ｌ１、Ｌ２、Ｌ３に照射されたレーザー光は戻り光として対物レンズ８側へ反射されることになる。
【００１３】
光ディスクＤの信号記録層Ｌ０、Ｌ１、Ｌ２、Ｌ３から反射された戻り光は、対物レンズ8、１／４波長板７、立ち上げミラー６及びコリメートレンズ４を通してハーフミラー３に入射される。このようにしてハーフミラー３に入射される戻り光は、前記１／４波長板７による位相変更動作によってＳ方向の直線偏光光に変更されている。従って、斯かる戻り光は、制御用レーザー光としてハーフミラー３を透過することになる。
【００１４】
９は前記ハーフミラー３を透過した制御用レーザー光が入射されるＡＳ板であり、該ハーフミラー３にて生成される非点収差の大きさを調整するとともに該ハーフミラー３にて発生するコマ収差を補正する作用を成すものである。１０は前記ＡＳ板９を透過する戻り光である制御用レーザー光が照射される位置に設けられている光検出器である。
【００１５】
前記光検出器１０には、後述する４分割センサー等が設けられており、メインビームの照射動作によって光ディスクＤの信号記録層Ｌ０、Ｌ１、Ｌ２、Ｌ３に記録されている信号の読み出し動作に伴う信号生成動作及び非点収差法によるフォーカス制御動作を行うためのフォーカスエラー信号の生成動作、そして２つのサブビームの照射動作によってトラッキング制御動作を行うためのトラッキングエラー信号の生成動作を行うように構成されている。
【００１６】
前記光検出器１０に設けられている受光部としては、図１０に示すように０次光であるメインビームＭが照射されるとともに信号読み出し動作やフォーカシング制御動作に使用されるメインビーム用受光部ＭＤ、＋1次光である先行サブビームＳ１が照射されるとともにトラッキング制御動作に使用される第１サブビーム用受光部ＳＤ１及び−1次光である後行サブビームＳ２が照射されるとともにトラッキング制御動作に使用される第２サブビーム用受光部ＳＤ２にて構成されている。
【００１７】
前記光検出器１０には、前述したようにメインビーム用受光部ＭＤ、第１サブビーム用受光部ＳＤ１及び第２サブビーム用受光部ＳＤ２が同一の直線上に設けられているが、その配置方向はトラッキング方向、即ち対物レンズ８にて集光生成されるスポットが光ディスクＤの径方向に変位するとメインビーム用受光部ＭＤ、第１サブビーム用受光部ＳＤ１
及び第２サブビーム用受光部ＳＤ２に各々照射されるメインビームＭ、先行サブビームＳ１及び後行サブビームＳ２が変位する方向と一致するように構成されている。
【００１８】
また、前記メインビーム用受光部ＭＤ、第１サブビーム用受光部ＳＤ１及び第２サブビーム用受光部ＳＤ２は、例えば図示したように各々４分割されたセンサーにて構成されている。そして、前記メインビーム用受光部ＭＤを構成する全センサーＡ、Ｂ、Ｃ、Ｄに照射されるメインビームの光量に応じた信号を加算することによって光ディスクＤに記録されている信号を読み出し信号として読み出すように構成されている。
【００１９】
そして、前記メインビーム用受光部ＭＤを構成する４分割センサーの中の対角関係にあるセンサーから得られる信号を加算するとともにこの加算信号から他方の対角関係にあるセンサーから得られる信号を加算信号した信号を減算することによってフォーカスエラー信号を生成させ、このフォーカスエラー信号を利用してフォーカシング制御動作を行うように構成されているが、斯かるフォーカシング制御動作は非点収差法と呼ばれるフォーカシング制御方法であり、その説明は省略する。
【００２０】
非点収差法によるフォーカシング制御動作はメインビーム用受光部ＭＤを構成する４分割センサーから得られる信号よりフォーカスエラー信号を生成させることによって行われるが、次にトラッキング制御動作について説明する。斯かるトラッキング制御動作は、第１サブビーム用受光部ＳＤ１への先行サブビームＳ１の照射動作及び第２サブビーム用受光部ＳＤ２への後行サブビームＳ２の照射動作を利用して行われる。
【００２１】
例えば、第１サブビーム用受光部ＳＤ１を構成する４分割センサーの中の上側にある２つのセンサーＩ、Ｊから得られる信号を加算するとともにこの加算信号から下側にある２つのセンサーＬ、Ｋから得られる信号を加算した信号を減算させて第１制御信号を得、また、第２サブビーム用受光部ＳＤ２を構成する４分割センサーの中の上側にある２つのセンサーＥ、Ｆから得られる信号を加算するとともにこの加算信号から下側にある２つのセンサーＨ、Ｇから得られる信号を加算した信号を減算させて第２制御信号を得、このようにして得られた第１制御信号と第２制御信号とを演算処理することによってトラッキングエラー信号を生成させるように構成されているが、斯かる動作は周知であり、その説明は省略する。
【００２２】
また、前述したトラッキング制御動作に加えて最近では、サブビームＳ１、Ｓ２だけでなくメインビームＭが照射されるメインビーム用受光部ＭＤから得られるトラッキングエラー信号を利用してトラッキング制御動作を行う方式、所謂差動プッシュプルと呼ばれる方式が精度向上のために採用されている。
【００２３】
斯かる方式におけるトラッキングエラー信号は、メインビーム用受光部ＭＤから得られるメイントラッキングエラー信号から第１サブビーム用受光部ＳＤ１及び第２サブビーム用受光部ＳＤ２から得られるサブトラッキングエラー信号を減算することによって得るように構成されている。
【００２４】
次に、図示したセンサー部の符号を参照にしてトラッキングエラー信号の演算処理について説明する。メインのトラッキングエラー信号をＭＴＥとすると、ＭＴＥ＝（Ａ＋Ｂ）−（Ｃ＋Ｄ）となり、サブのトラッキングエラー信号をＳＴＥとすると、ＳＴＥ＝｛（Ｅ＋Ｆ）−（Ｇ＋Ｈ）｝＋｛（Ｉ＋Ｊ）−（Ｌ＋Ｋ）｝と表される。
【００２５】
そして、斯かる差動プッシュプル方式におけるトラッキング制御動作は、差動プッシュプル信号ＤＰＰに基づいて行われるが、このＤＰＰ信号は、ＤＰＰ＝ＭＴＥ−ｋ×ＳＴＥとして得られる。ここで、ｋはメインビームの光強度とサブビームの光強度に基づいて決
定される定数である。
【００２６】
このようにサブビームとメインビームとを組み合わせたトラッキング制御動作を行う光ピックアップ装置が開発されている。
【００２７】
前述したようにメインビーム用受光部ＭＤ、第１サブビーム用受光部ＳＤ１及び第２サブビーム用受光部ＳＤ２から得られる信号からフォーカスエラー信号及びトラッキングエラー信号を生成させ、このフォーカスエラー信号及びトラッキングエラー信号に基づいてフォーカシング制御動作及びトラッキング制御動作は行われるが、斯かるフォーカシング制御動作は対物レンズ８を光ディスクＤの信号面に対して垂直方向に変位させることによって行われ、トラッキング制御動作は対物レンズ８を光ディスクＤの径方向に変位させることによって行われる。
【００２８】
以上に説明したように従来の光ピックアップ装置は構成されているが、次に所望の信号記録層に記録されている信号の読み出し動作を行っている状態におけるその他の信号記録層から反射される戻り光、即ち迷光による問題について説明する。
【００２９】
図１０は、前述したメインビーム用受光部ＭＤ、第１サブビーム用受光部ＳＤ１及び第２サブビーム用受光部ＳＤ２と迷光との関係を示すものであり、破線で示す輪Ｐの内側の部分が迷光と呼ばれるレーザー光の照射部分である。
【００３０】
この図より明らかなように迷光が光検出器１０に設けられているメインビーム用受光部ＭＤ、第１サブビーム用受光部ＳＤ１及び第２サブビーム用受光部ＳＤ２上に照射されることになる。
【００３１】
メインビームである０次光とサブビームである＋１次光及び−１次光は、回折格子２によって生成されるが、その光量比、即ち１つのサブビームとメインビームの光量比は、一般に１対６のようにメインビームの方が強くなるように設定されている。従って、例えば信号記録層Ｌ０に記録されている信号の読み出し動作を行っているとき、その他の信号記録層Ｌ１、Ｌ２、Ｌ３から迷光として反射されるサブビームの光量は、迷光として反射されるメインビームの光量と比較して十分に小さいので、フォーカシング制御動作等に与える影響は無視することが出来る。
【００３２】
また、メインビーム用受光部ＭＤに照射されるメインビームＭ、例えば信号記録層Ｌ０に記録されている信号の読み出し動作を行う場合、該信号記録層Ｌ０から反射されるメインビームＭの光量は、その他の信号記録層Ｌ１、Ｌ２、Ｌ３から反射される迷光ビームの光量よりも十分大きいので、メインビーム用受光部ＭＤによる信号生成動作、即ち信号記録層Ｌ０に記録されている信号の読み出し動作及びフォーカスエラー信号の生成動作等に悪影響を与えることはない。
【００３３】
一方、前述したように第１サブビーム用受光部ＳＤ１及び第２サブビーム用受光部ＳＤ２にトラッキングエラー信号を生成するために照射される先行サブビームＳ１及び後行サブビームＳ２の光量は、メインビームＭの光量より小さくなるように設定されている。そのため第１サブビーム用受光部ＳＤ１及び第２サブビーム用受光部ＳＤ２から得られる信号を増幅するべく設けられている増幅器の利得は、メインビーム用受光部ＭＤから得られる信号を増幅するべく設けられている増幅器の利得より一般的には高くなるように設定されている。
【００３４】
その結果、信号の読み出し動作を行う信号記録層Ｌ０ではない信号記録層Ｌ１、Ｌ２、Ｌ３から反射されるメインビームＭから生成される迷光が第１サブビーム用受光部ＳＤ１
及び第２サブビーム用受光部ＳＤ２上に照射されることによって受ける影響の度合いが大きくなる。即ち、第１サブビーム用受光部ＳＤ１及び第２サブビーム用受光部ＳＤ２から得られるトラッキングエラー信号に迷光の光強度に応じた信号が作用するので、正確なトラッキングエラー信号を得ることが出来ず、その結果トラッキング制御動作が不安定になるという問題がある。
【００３５】
斯かる迷光による問題を解決する方法として光検出器の形状を迷光による影響を排除する形状にした技術が開発されている。（特許文献１参照。）
【先行技術文献】
【特許文献】
【００３６】
【特許文献１】特開２００９−１７６３６７号公報
【発明の概要】
【発明が解決しようとする課題】
【００３７】
特許文献１に記載されている技術は、光検出器に組み込まれているメインビーム用受光部の面積に対してサブビーム用受光部の面積を小さくすることによって、またサブビーム用受光部の形状を八角形にすることによって迷光による問題を解決するようにされているが、メインビーム用受光部に対する迷光対策は何ら成されていない。
【００３８】
メインビーム用受光部に対する迷光対策を行わなかった理由は、信号の読み取り動作を行っている信号記録層から反射されるメインビームのレベルに対してその他の信号記録層から反射されるメインビームのレベル及びサブビームのレベルが小さいので、迷光による影響を受けることがないことにある。
【００３９】
しかしながら、Ｂｌｕ−ｒａｙ規格にて規定されている４層式の光ディスクＤでは、信号記録層と信号記録層との間隔が非常に狭いので、信号の読み出し対象となる信号記録層に隣接する信号記録層から反射されるメインビーム及びサブビームより生成される迷光のレベルが無視できない程度に大きくなっている。
【００４０】
前述した迷光による問題について図１１、１２、１３及び１４を参照にして説明する。図１１は、光検出器１０に組み込まれている受光部に照射されるメインビームＭの光強度分布、即ちメインビームのレベル変化を示すものであり、ＭＡは信号の読み出し対象となる信号記録層からの戻り光の強度分布を示し、ＭＢは隣接する信号記録層からの戻り光、即ち迷光の強度分布を示すものである。
【００４１】
図１２は、光検出器１０に組み込まれている受光部に照射されるメインビームＭ、サブビームＳ１、Ｓ２の光強度分布、即ち各ビームのレベル変化を示すものであり、ＭＡ、ＳＡ１、ＳＡ２は信号の読み出し対象となる信号記録層からの各戻り光の強度分布を示すものである。
【００４２】
図１３は、光検出器１０に組み込まれている受光部に照射されるメインビームＭ、サブビームＳ１、Ｓ２が迷光による影響を受けた状態における光強度分布を示すものであり、ＭＡ、ＳＡ１、ＳＡ２は信号の読み出し対象となる信号記録層からの各戻り光の強度分布を示すものである。斯かる図面より明らかなようにメインビームＭ、サブビームＳ１、Ｓ２の強度は、迷光による影響を受けてそのレベルが大きく変化していることが分かる。
【００４３】
図１４は、光検出器１０に組み込まれている受光部に照射されるメインビームＭ、サブビームＳ１、Ｓ２及び迷光の強度分布を模式的に表したものであり、ＭＡ、ＳＡ１、ＳＡ２は信号の読み出し対象となる信号記録層からの戻り光のレベルである強度分布を示し、
ＭＢは隣接する信号記録層からの戻り光、即ち迷光のレベルである強度分布を示すものである。
【００４４】
斯かる図より明らかなように受光部に照射されるメインビームＭ、サブビームＳ１、Ｓ２及び迷光の強度分布は、平坦ではなく中心部の強度が最も高くなる。斯かる理由は、周知のようにレーザーダイオードから放射されるレーザー光の光強度がガウシャン特性を有しているからである。即ち、レーザーダイオードから放射されるレーザー光の断面は、図３に示すように楕円形状であり、光ディスクＤに記録されている信号の読み出し動作等には、図３に示す円形の部分のレーザー光が使用されている。そして、斯かるレーザー光において、その中心部の光強度が最も強く、中心部から外側に向かって次第に光強度が弱くなるという特性がある。
【００４５】
斯かる特性があるので、光検出器１０に組み込まれている受光部に照射される全ての戻り光の強度も図１４に示すように平坦ではなく中心部が最も高くなる。その結果、対物レンズ８のトラッキング方向への変位時に先行サブビーム及び後行サブビームに対する迷光の影響度のバランスがずれることになるので、差動プッシュプル方式におけるトラッキング制御動作を正確に行うことが出来ないという問題がある。
【００４６】
本発明は、斯かる問題を解決することが出来る光ピックアップ装置を提供しようとするものである。
【課題を解決するための手段】
【００４７】
本発明は、光ディスクに記録されている信号を読み出すために信号記録層にレーザー光を集光させる対物レンズと、レーザー光が入射されるとともに０次光であるメインビーム、＋１次光及び−１次光であるサブビームを生成させる回折格子と、信号記録層から反射される戻り光であるサブビームが照射されるとともにトラッキングエラー信号を生成する第１及び第２のサブビーム用受光部と信号記録層から反射される戻り光であるメインビームが照射されるとともに再生信号及びフォーカスエラー信号を生成するメインビーム用受光部とより成る光検出器と、前記回折格子を透過したレーザー光を対物レンズ方向へ導くとともに信号記録層から反射される戻り光を光検出器方向へ導く偏光ビームスプリッタを備え、前記光検出器に入射される戻り光の強度分布が平坦になるようにしたことを特徴とするものである。
【００４８】
また、本発明は、強度分布を平坦にする強度平坦化素子をレーザーダイオードと偏光ビームスプリッタとの間に配置したことを特徴とするものである。
【００４９】
そして、本発明は、強度分布を平坦にする強度平坦化素子を偏光ビームスプリッタと光検出器との間に配置したことを特徴とするものである。
【００５０】
更に、本発明は、平行平板硝子の表面に透過率を調整する透過膜を塗布することによって強度平坦化素子を構成したことを特徴とするものである。
【００５１】
また、本発明は、透過率の異なる透過膜を楕円状に塗布したことを特徴とするものである。
【００５２】
そして、本発明は、強度平坦化素子を回折格子が形成された回折素子にて構成したことを特徴とするものである。
【発明の効果】
【００５３】
本発明の光ピックアップ装置は、光ディスクに設けられている信号記録層から反射され
て光検出器に照射される戻り光の強度分布が平坦になるようにしたので、レンズシフト時、即ち対物レンズのトラッキング方向への変位時先行サブビーム及び後行サブビームに対する迷光の影響度を均一にすることが出来る。即ち、本発明によれば、対物レンズがトラッキング方向へ変位しても先行サブビーム及び後行サブビームに対する戻り光の影響度を同一にすることが出来るので、先行サブビームを受光する受光部から得られる信号と後行サブビームを受光する受光部から得られる信号とから得られるプッシュプル信号の直流変動を抑えることが出来、その結果差動プッシュプル方式のトラッキング制御動作を正確に行うことが出来る。
【００５４】
従って、本発明は、信号記録層の間隔が狭い光ディスクに記録されている信号の読み出し動作を行うように構成された光ピックアップ装置に実施した場合に非常に大きな効果を奏するものである。
【図面の簡単な説明】
【００５５】
【図１】本発明に係る光ピックアップ装置の一実施例を示す概略図である。
【図２】本発明に係る光ピックアップ装置に使用される強度平坦化素子の一実施例を示す説明図である。
【図３】レーザー光を説明するための図である。
【図４】本発明に係る光ピックアップ装置に使用される強度平坦化素子の一実施例を示す説明図である。
【図５】本発明の光ピックアップ装置に使用される光検出器に組み込まれている受光部に照射される戻り光の強度分布を説明するための図である。
【図６】本発明の光ピックアップ装置に使用される光検出器に組み込まれている受光部に照射される戻り光の強度分布を説明するための図である。
【図７】本発明の光ピックアップ装置に使用される光検出器に組み込まれている受光部に照射される戻り光の強度分布を説明するための図である。
【図８】本発明の光ピックアップ装置に使用される光検出器に組み込まれている受光部に照射される戻り光の強度分布を説明するための模式図である。
【図９】従来の光ピックアップ装置を示す概略図である。
【図１０】受光部と戻り光との関係を説明するための図である。
【図１１】従来の光ピックアップ装置に使用される光検出器に組み込まれている受光部に照射される戻り光の強度分布を説明するための図である。
【図１２】従来の光ピックアップ装置に使用される光検出器に組み込まれている受光部に照射される戻り光の強度分布を説明するための図である。
【図１３】従来の光ピックアップ装置に使用される光検出器に組み込まれている受光部に照射される戻り光の強度分布を説明するための図である。
【図１４】従来の光ピックアップ装置に使用される光検出器に組み込まれている受光部に照射される戻り光の強度分布を説明するための模式図である。
【発明を実施するための形態】
【００５６】
光ディスクに設けられている複数の信号記録層にレーザー光を集光させてレーザースポットを生成するように構成された光ピックアップ装置において、信号の読み出し動作を行っている信号記録層ではなく、他の信号記録層から反射されるレーザー光、即ち迷光によるトラッキング制御動作に対する悪影響を抑えることが出来る光ピックアップ装置を提供する。
【実施例１】
【００５７】
図１は本発明の実施例を示すものであり、図９に示した光ピックアップ装置と同一の部材には同一の符号を付している。
【００５８】
本発明は、光ディスクＤに設けられている信号記録層Ｌ０、Ｌ１、Ｌ２、Ｌ３から反射されるとともに光検出器１０に入射される戻り光の強度分布を平坦にするための強度平坦化素子１１をレーザーダイオード１と偏光ビームスプリッタであるハーフミラー３との間に設けたことを特徴とするものである。
【００５９】
図２は斯かる強度平坦化素子１１の一実施例であり、透明な平行平板硝子１１Ａにレーザー光の透過率が異なる楕円状の透過膜１１Ｂを塗布したものである。即ち、前記透過膜１１Ｂは中心部の透過率が最も小さく、外周に向かって透過率が高くなるように構成されている。
【００６０】
前記平行平板硝子１１Ａに塗布される透過膜１１Ｂの透過率は、レーザー光である戻り光の強度分布を均一にするべく、即ちレーザー光の強度分布が平坦になるように設定されている。レーザー光は、前述したようにガウシャン特性を有しているので、中心部の光強度が最も大きく外側に向かって光強度が小さくなるという特性がある。従って、本発明では、前記平行平板硝子１１Ａに塗布される透過膜１１Ｂの透過率をレーザー光の強度分布と逆の関係になるように設定されている。
【００６１】
前述したように構成された強度平坦化素子１１をレーザーダイオード１と偏光ビームスプリッタであるハーフミラー３との間に配置させた光ピックアップ装置について図５、６、７及び８を参照にして説明する。図５は、光検出器１０に組み込まれている受光部に照射されるメインビームＭの光強度分布、即ちメインビームのレベル変化を示すものであり、ＭＡは信号の読み出し対象となる信号記録層からの戻り光の強度分布を示し、ＭＢは隣接する信号記録層からの戻り光、即ち迷光の強度分布を示すものである。
【００６２】
図６は、光検出器１０に組み込まれている受光部に照射されるメインビームＭ、サブビームＳ１、Ｓ２の光強度分布、即ち各ビームのレベル変化を示すものであり、ＭＡ、ＳＡ１、ＳＡ２は信号の読み出し対象となる信号記録層からの各戻り光の強度分布を示すものである。
【００６３】
図７は、光検出器１０に組み込まれている受光部に照射されるメインビームＭ、サブビームＳ１、Ｓ２が迷光による影響を受けた状態における光強度分布を示すものであり、ＭＡ、ＳＡ１、ＳＡ２は信号の読み出し対象となる信号記録層からの各戻り光の強度分布を示すものである。斯かる図面より明らかなようにメインビームＭ、サブビームＳ１、Ｓ２の強度は、迷光による影響を受けてそのレベルが大きく変化していることが分かる。
【００６４】
図８は、光検出器１０に組み込まれている受光部に照射されるメインビームＭ、サブビームＳ１、Ｓ２及び迷光の強度分布を模式的に表したものであり、ＭＡ、ＳＡ１、ＳＡ２は信号の読み出し対象となる信号記録層からの戻り光のレベルである強度分布を示し、ＭＢは隣接する信号記録層からの戻り光、即ち迷光のレベルである強度分布を示すものである。
【００６５】
前述した図５、６、７及び８より明らかなように受光部に照射されるメインビームＭ、サブビームＳ１、Ｓ２及び迷光の全てのレーザー光の強度分布は、強度平坦化素子１１の働きによって平坦にされている。従って、迷光によって受ける第１サブビーム用受光部ＳＤ１及び第２サブビーム用受光部ＳＤ２に対する影響度は対物レンズ８がトラッキング方向へ変位しても同一になる。また、サブビームＳ１、Ｓ２の強度分布も平坦化されているので、対物レンズ８がトラッキング方向へ変位しても先行サブビームを受光する受光部から得られる信号と後行サブビームを受光する受光部から得られる信号とから得られるプッシュプル信号の直流変動を抑えることが出来、その結果差動プッシュプル方式のトラッキング制御動作を正確に行うことが出来る。
【実施例２】
【００６６】
実施例１では、強度平坦化素子１１として図２に示すような平行平板硝子１１Ａに透過率が異なる楕円状の透過膜１１Ｂを塗布した部材を使用したが透過率を調整する手段として回折格子が形成されている回折素子を利用することも出来る。図４は強度平坦化素子１１として回折素子を利用したものであり、同図において１１Ｃは透明な平行平板硝子であり、その表面に回折格子１１Ｄ、１１Ｅが形成されている。斯かる回折格子１１Ｄ、１１Ｅは、楕円状のレーザー光の長径方向に合致するように配置されており、該回折格子１１Ｄ、１１Ｅとして作用するべく形成される溝の深さを長径方向に階段状に変化させることによって透過するレーザー光の強度を調整することが出来る。
【００６７】
斯かる回折素子を強度平坦化素子１１として使用することによって光検出器１０に組み込まれている受光部に照射される各レーザー光の強度分布を平坦にすることが出来るので、実施例１と同様に差動プッシュプル方式のトラッキング制御動作を正確に行うことが出来る。
【実施例３】
【００６８】
前述した実施例１及び実施例２では、強度平坦化素子１１をレーザーダイオード１と偏光ビームスプリッタとして作用するハーフミラー３との間に設けたが、該ハーフミラー３と光検出器１０との間に配置させることも出来る。
【００６９】
実施例１及び実施例２のように強度平坦化素子１１をレーザーダイオード１とハーフミラー３との間に設ける場合には、該強度平坦化素子１１によるレーザー光の平坦化が光ディスクＤの信号記録層Ｌ０、Ｌ１、Ｌ２、Ｌ３に照射されるレーザー光に対しても作用するので、各記録層に生成されるレーザースポットの形状を良好なものにすることが出来るという利点がある。
【００７０】
斯かる実施例１、２に対して、実施例３のように強度平坦化素子１１をハーフミラー３と光検出器１０との間に配置させた場合には、光検出器１０に組み込まれている受光部に適した平坦化のための光学設計を他の光学特性に関係なく行うことが出来るので、トラッキング制御特性を向上させることが出来る。
【産業上の利用可能性】
【００７１】
本発明は、Ｂｌｕ−ｒａｙ規格の光ディスクに記録されている信号の読み出し動作を行う光ピックアップ装置に実施した場合について説明したが、異なる規格の光ピックアップ装置にも応用することが出来る。また、４つの信号記録層を備えた光ディスクについて説明したが、２層及び３層の信号記録層や更に多くの信号記録層が設けられている光ディスクに記録されている信号の読み出し動作を行う光ピックアップ装置にも応用することが出来る。
【符号の説明】
【００７２】
１        レーザーダイオード
２        回折格子
３        ハーフミラー
４        コリメートレンズ
８        対物レンズ
１０      光検出器
１１      強度平坦化素子
【図１】
2013109811.tif 000003
【図２】
2013109811.tif 000004
【図３】
2013109811.tif 000005
【図４】
2013109811.tif 000006
【図５】
2013109811.tif 000007
【図６】
2013109811.tif 000008
【図７】
2013109811.tif 000009
【図８】
2013109811.tif 000010
【図９】
2013109811.tif 000011
【図１０】
2013109811.tif 000012
【図１１】
2013109811.tif 000013
【図１２】
2013109811.tif 000014
【図１３】
2013109811.tif 000015
【図１４】
2013109811.tif 000016